(57)【要約】      （修正有）【課題】簡単かつスピーディにセーフティーコーンから引き抜き、取り外すことができ、風などによって脱落しづらく、視認性がよく、耐候性の高いセーフティーコーン用標識カバーを提供する。【解決手段】セーフティーコーン用カバー１は、セーフティーコーンのテーパ部に被せるものであって、セーフティーコーンのテーパ部の一部を覆う筒状部５と、筒状部５に連設された取手部１０とから構成され、筒状部５によって、セーフティーコーンのテーパ部が覆われている場合、取手部１０を把持してセーフティーコーンに対して上方向へ引っ張ることによって、筒状部５をセーフティーコーンから引き抜くことができる。【選択図】図１
0003195981.tif 000002
【実用新案登録請求の範囲】
【請求項１】
セーフティーコーンのテーパ部に被せるセーフティーコーン用標識カバーであって、
前記セーフティーコーンのテーパ部の一部を覆う筒状部と、
前記筒状部に連設された取手部と
から構成され、
前記筒状部によって、前記セーフティーコーンのテーパ部が覆われている場合、前記取手部を把持して前記セーフティーコーンに対して上方向へ引っ張ることによって、前記筒状部を前記セーフティーコーンから引き抜くことができる
ことを特徴とするセーフティーコーン用カバー。
【考案の詳細な説明】
【技術分野】
【０００１】
本考案は、セーフティーコーンに被せるカバーに関し、特に、簡単かつスピーディにセーフティーコーンから引き抜き、取り外すことができる好適なセーフティーコーン用カバーに関するものである。
【背景技術】
【０００２】
従来、セーフティーコーンは車線規制や道路工事の際に進入を規制するなどの境界を表示するものとして使用されているが、そのセーフティーコーンに任意の文字や図柄を印刷したカバーを被せることにより道路標識や広告表示などとしても利用する提案がなされている。
【０００３】
例えば、実用新案登録第３１３２２７１号公報には、セーフティーコーン用標識カバーが提案されている（特許文献１）。このセーフティーコーン用標識カバーは、セーフティーコーンのテーパ部の形状に応じた形状に形成されているものである。そのため、簡単かつスピーディーにセーフティーコーンに被せることができ、風などによって脱落しづらく、視認性がよく、耐候性の高いものとされている。
【０００４】
【特許文献１】実用新案登録第３１３２２７１号公報
【考案の概要】
【考案が解決しようとする課題】
【０００５】
しかしながら、特許文献１に記載の考案においては、作業者が、セーフティーコーン用標識カバーをセーフティーコーンから取り外して後片付けをするときに、カバーがセーフティーコーンに密着しているため、カバーとセーフティーコーンとの間に隙間がなく、指を挿入して取り外すことが容易でなく、手間がかかり、作業効率が悪いという問題があった。
【０００６】
本考案は、このような問題点を解決するためになされたものであって、簡単かつスピーディにセーフティーコーンから引き抜き、取り外すことができ、風などによって脱落しづらく、視認性がよく、耐候性の高いセーフティーコーン用標識カバーを提供することを目的としている。
【課題を解決するための手段】
【０００７】
本考案のセーフティーコーン用カバーは、セーフティーコーンのテーパ部に被せるものであって、前記セーフティーコーンのテーパ部の一部を覆う筒状部と、前記筒状部に連設された取手部とから構成され、前記筒状部によって前記セーフティーコーンのテーパ部が覆われている場合、前記取手部を把持して前記セーフティーコーンに対して上方向へ引っ張ることによって、前記筒状部を前記セーフティーコーンから引き抜くことができることを特徴とする。
【考案の効果】
【０００８】
本考案のセーフティーコーン用カバーであれば、取手部を利用することによって、作業者は、カバーとセーフティーコーンとの間に指を挿入する必要がなく、簡単かつスピーディにセーフティーコーンから引き抜き、取り外すことができる。したがって、セーフティーコーンからセーフティーコーン用カバーを取り外して、セーフティーコーンを片付ける作業を行う作業者にとって、従来に比べて作業効率が良くなり、手間を軽減することができるセーフティーコーン用カバーを提供することができる。
【図面の簡単な説明】
【０００９】
【図１】本考案に係る実施形態であるセーフティーコーン用カバーを示す斜視図である。
【図２】セーフティーコーンに本実施形態のセーフティーコーン用カバーを取り付けるときの実施手順を示す図である。
【図３】セーフティーコーンから本実施形態を取り外すときの実施手順を示す図である。
【考案を実施するための形態】
【００１０】
以下、本考案に係るセーフティーコーン用カバーの実施形態について図面を用いて説明する。
【実施例】
【００１１】
図１は、本考案に係る実施形態であるセーフティーコーン用カバー１を示す斜視図である。
【００１２】
図１に示すように、本考案に係るセーフティーコーン用カバー１は、セーフティーコーン１００のテーパ部に被せる筒状部５と、筒状部５に連設された取手部１０とから構成されている。
【００１３】
筒状部５および取手部１０は、材料や色を種々変更可能であるが、例えば、材料として風雨や日光、気温の寒暖などによる変質・変形の少ない塩化ビニールなどの化学合成樹脂シートが好ましい。また、色は、筒状部５に印刷される標識や文字の視認性をよくするために白色がよい。形状は、セーフティーコーン１００のテーパ部の勾配と略同一勾配からなる円錐台形状に形成されている。また、筒状部５の上端部および下端部は、セーフティーコーン１００に被せたときに接するテーパ部の外周円と略同一曲率に形成されている。これにより、筒状部５をセーフティーコーン１００に被せたときに撓みなく、大きな隙間も生じない。
【００１４】
つぎに、本実施形態のセーフティーコーン用カバー１の取り付け方法および取り外し方法について、図２および図３を用いて説明する。図２は、セーフティーコーン１００にセーフティーコーン用カバー１を取り付けるときの実施手順を示す図であり、図３は、セーフティーコーン１００からセーフティーコーン用カバー１を取り外すときの実施手順を示す図である。
【００１５】
本実施形態のセーフティーコーン用カバー１をセーフティーコーン１００に被せる場合、図２に示すように、筒状部５を軽く開き、セーフティーコーン１００の上方から被せて所定の位置まで下ろす。筒状部５は、セーフティーコーン１００のテーパ部の勾配と同一勾配の円錐台形状に拡げられ、筒状部５の上端部および下端部の円周長さはセーフティーコーン１００の外周円の円周と略同一になる。そのため、セーフティーコーン用カバー１は、セーフティーコーン１００に隙間なく被せることができる。
【００１６】
次に、本実施形態のセーフティーコーン用カバー１をセーフティーコーン１００から取り外す場合、図３に示すように、取手部１０を把持し、セーフティーコーン１００に対して上方向へ引き抜くように、引っ張ることによって、筒状部５をセーフティーコーン１００から引き抜くことができる。
【００１７】
このような本実施形態のセーフティーコーン用カバー１であれば、作業者は、セーフティーコーン用カバー１とセーフティーコーン１００との間に指を挿入することなく、取手部１０をつまんで引っ張るといったような簡単な作業で、容易かつスピーディにセーフティーコーン１００からセーフティーコーン用カバー１を引き抜き、取り外すことができる。
【００１８】
また、セーフティーコーン用カバー１における筒状部５および取手部１０は、塩化ビニールを素材としているため、変質・変形が少なく、長期間使用することができる。更に、セーフティーコーン１００は、筒状部５に覆われるため、車両接触などの強い衝撃を受けたときの破損や破壊を防ぐ効果も得られる。
【００１９】
なお、本考案に係るセーフティーコーン用標識カバーは、前述した実施形態に限定されるものではなく、適宜変更することができる。
【００２０】
例えば、上述の実施形態においては、筒状部５と取手部１０とが、同じ素材で構成されているものとしたが、筒状部５から取手部１０が、外れないような強度のある構造および素材であれば、筒状部５と取手部１０とにおいて、異なる構造および素材で構成されていても良い。
【符号の説明】
【００２１】
１・・・セーフティーコーン用カバー，５・・・筒状部，１０・・・取手部，１００・・・セーフティーコーン。 
【図１】
0003195981.tif 000003
【図２】
0003195981.tif 000004
【図３】
0003195981.tif 000005